(57)【要約】      （修正有） 【課題】足を差し入れた場合であっても邪魔にならず足が窮屈になることのないヒータが装着された机を提供する。【解決手段】天板部の下方に引出部が形成された机１０であって、上記引出部は、天板部１１の裏面部には引出本体１３を引き出し可能に収納する引出収納部が設けられ、上記引出収納部は、底板部１５と、上記底板部の両端部と上記天板部とを接合する側板部とを備え、上記底板部の下面部にはヒータ１８が着脱可能に装着されている。【選択図】図４
0003172832.tif 000002
【実用新案登録請求の範囲】
【請求項１】
天板部の下方に引き出し部が形成された机であって、上記引出部は、天板部の裏面部には引出本体を引き出し可能に収納する引出収納部が設けられ、上記引出収納部は、底板部と、上記底板部の両端部と上記天板部とを接合する側板部とを備え、上記底板部の下面部にはヒータが着脱可能に装着されていることを特徴とする机。
【請求項２】
上記ヒータは板状に形成されていることを特徴とする請求項１記載の机。
【請求項３】
学習机として形成されていることを特徴とする請求項１記載の机。
【請求項４】
長方形状の天板部と、上記天板部の下部に形成された引出部と、上記引出部の長さ方向端部に配置される独立引出部とを有することを特徴とする請求項３記載の机。
【請求項５】
上記ヒータは長方形板状に形成され、上記底板部には上記ヒータを着脱可能に固定しうる固定部が設けられていることを特徴とする請求項２記載の机。
【考案の詳細な説明】
【技術分野】
【０００１】
本考案は、机に関し、特に、足を加温できる机の改良に関する。
【背景技術】
【０００２】
一般に、ヒータ付きの机が販売されている。例えば、このような従来のヒータ付きの机は学習机であって、天板部の下方に設けられた取付部にヒータ装置が固定され、使用時に、天板下方に足を差し入れた場合に、ヒータ装置が作動して足を加温するように構成されている（特許文献１）。
【０００３】
しかしながら、このような従来のヒータ付きの机にあっては、上記ヒータの取付部は天板部の下方に離間して配置されており、足を差し入れた場合に、上記取付部が足の邪魔になる、という不具合が存していた。
【特許文献１】実開平４−９１１２１号公報
【考案の開示】
【考案が解決しようとする課題】
【０００４】
本考案はこのような従来からの不具合を解決するためのものであって、その課題は、足を差し入れた場合であっても邪魔にならず足が窮屈になることのないヒータが装着された机を提供することにある。
【課題を解決するための手段】
【０００５】
上記課題達成のため、請求項１記載の考案にあっては、天板部の下方に引出部が形成された机であって、上記引出部は、天板部の裏面部には引出本体を引き出し可能に収納する引出収納部が設けられ、上記引出収納部は、底板部と、上記底板部の両端部と上記天板部とを接合する側板部とを備え、上記底板部の下面部にはヒータが着脱可能に装着されていることを特徴とする。
【０００６】
従って、請求項１記載の机にあっては、天板部の下部に形成された引出部の下面部にヒータが着脱可能に設けられている。
【０００７】
請求項２記載の考案にあっては、上記ヒータは薄板状に形成されていることを特徴とする。
【０００８】
従って、請求項２記載の考案にあっては、ヒータは薄板状に形成されていることから、引出部の下面部に取り付けられた場合であっても、引出部下方へ大きく突出することはない。
【０００９】
請求項３記載の考案にあっては、学習机として形成されていることを特徴とする。
従って、請求項３記載の考案にあっては、学習机上において読書、学習等の様々な作業を足が加温された状態で行うことができる。
【００１０】
請求項４記載の考案にあっては、長方形状の天板部と、上記天板部の下部に形成された引出部と、上記引出部の長さ方向端部に配置される独立引出部とを有することを特徴とする。
【００１１】
請求項５記載の考案にあっては、上記ヒータは長方形板状に形成され、上記底板部には上記ヒータを着脱可能に固定しうる固定部が設けられていることを特徴とする。
【考案の効果】
【００１２】
請求項１記載の机にあっては、天板部の下部に形成された引出部の下面部にヒータが着脱可能に設けられていることから、例えば、冬季においてヒータの装着時には、引出部の下方へ足を差し入れた場合であっても、ヒータにより足が加温されることから、温かい状態で快適に読書、学習等の天板上での作業を行うことができる。
【００１３】
また、上記ヒータは着脱可能に形成されていることから、例えば、夏季においては、ヒータを取り外し、引出部下方の空隙をより広く使用することができる。
【００１４】
請求項２記載の考案にあっては、ヒータは薄型板状に形成されており、厚さ寸法は非常に薄いことから、引出部下方へ大きく突出することはなく、ヒータが装着された場合であっても、引出部下方の空隙は広く確保されており、足を引出部下方に差し入れた場合であっても、足が閊えることもない。その結果、暖かく快適な状態で引出部下方の空隙を利用することができる。
【００１５】
請求項３記載の考案にあっては、学習机として形成されていることから、冬季等において足が加温され、温かい状態で、読書、学習等の天板上の作業を行うことができる学習机を提供することができる。
【図面の簡単な説明】
【００１６】
【図１】本考案に係る机を学習机に適用した一実施の形態を示す斜視図である。
【図２】本考案に係る机に適用されるヒータを背面側から示す斜視図である。
【図３】本考案に係る机の一実施の形態を示し、ヒータが取り付けられる引き出し部裏面側を示す斜視図である。
【図４】本考案に係る机の一実施の形態を示し、学習机にヒータが取り付けられた状態を示す斜視図である。
【考案を実施するための最良の形態】
【００１７】
以下、添付図面に示す実施の形態に基づき、本考案を詳細に説明する。
図１に示すように、本実施の形態にあっては、本考案に係る机は学習机１０として形成されており、長方形状の天板部１１と、上記天板部１１の下部に形成された引出部１２と、上記天板部１１の下方であって、上記引出部１２の長さ方向端部に配置される独立引出部１７とを有している。
【００１８】
上記引出部１２には、天板部１１の裏面部に、引出本体１３を引き出し可能に収納する引出収納部１４が設けられている。
【００１９】
上記引出収納部１４は、底板部１５と、上記底板部１５の両端部と上記天板部１１とを接合する側板部１６、１６とを備え、上記底板部１５の下面部にはヒータが着脱可能に装着される。  
【００２０】
図２に示すように、上記ヒータ１８は長方形板状に形成され、図３に示すように、上記底板部１５には、四偶部に上記ヒータ１８を着脱可能に固定しうる固定部１９、１９、１９、１９が設けられている。
【００２１】
本実施の形態にあっては、上記固定部１９、１９、１９、１９は小径の金属プレートからなり底板部１５の４か所に設けられており、図２に示す平面長方形状に形成されたヒータ１８の四偶部に設けられたマグネット製の固定部２０，２０，２０，２０に対応して、着脱可能に固定しうるように構成されている。
【００２２】
従って、上記底板部１５の固定部１９、１９、１９、１９にヒータ１８の固定部２０、２０、２０、２０を適合させることにより、図４に示すように、ヒータ１８を学習机１０の引出収納部１４の底板部１５の裏面部側に固定することができる。
【００２３】
以下、本実施の形態に係る机の作用について説明する。
従って、本実施の形態に係る机１０にあっては、天板部１１の裏面部側において、引出本体１３を引き出し可能に収納する引出収納部１４の底板部１５の下面部にはヒータ１８が着脱可能に装着されていることから、例えば、冬季においてヒータの装着時には、引出部１２の下方へ足を差し入れた場合であっても、ヒータ１８により足が加温されることから、温かい状態で読書、学習等の天板部１１上での作業を行うことができる。
【００２４】
この場合、図４に示すように、ヒータ１８は板状に形成されており、厚さ寸法は非常に薄いことから、引出部下方へ大きく突出することはなく、ヒータ１８が装着された場合であっても、引出部１２下方の空隙は広く確保されており、足を引出部１２下方に差し入れた場合であっても、足が閊えることもなく、また、足を組むための十分なスペースがある。その結果、暖かく快適な状態で引出部１２下方の空隙を利用することができる。
【００２５】
また、上記ヒータ１８はマグネットにより引出部１２の底板部１５に着脱可能に固定されていることから、例えば、夏季においては、ヒータ１８を容易に取り外し、引出部１２下方の空隙をより広く使用することができる。
【００２６】
本実施の形態にあっては、学習机として形成されていることから、冬季等において足が加温され、寒くない状態で天板上の作業を行うことができる学習机を提供することができる。
【００２７】
なお、本実施の形態にあっては、机を学習机に適用した場合を例に説明したが、本実施の形態に限定されず他の形態の机にも適用することができる。また、ヒータの机への固定手段に関しては、本実施の形態におけるマグネットに限定されない。
【産業上の利用可能性】
【００２８】
本考案は広く机に適用することができることから産業上の利用可能性を有している。
【符号の説明】
【００２９】
１０  学習机（机）
１１  天板部
１２  引出部
１３  引出本体
１４  引出収納部
１５  底板部
１６  側板部
１７  独立引出部
１８  ヒータ
１９  固定部
２０  固定部
【図１】
0003172832.tif 000003
【図２】
0003172832.tif 000004
【図３】
0003172832.tif 000005
【図４】
0003172832.tif 000006